(57)【要約】【課題】  配管の潰れや循環口の詰まり等を原因とした湯張り不良が発生しているか否かを自動湯張り量によって把握することのできる給湯機を提供する。【解決手段】  缶体１１に接続された給水管１４及び給湯管１６を介して供給される水及び湯を混合する湯水混合弁２５と、湯を浴槽に供給する湯張り配管２６と、前記水及び湯の温度をそれぞれ検出する水温サーミスタ３０及び湯温サーミスタ３２と、湯水混合弁に入る湯量を検出する流量センサ３１とを備え、湯水混合弁の設定温度をＴ、前記湯温及び水温をそれぞれＴ１，Ｔ２、湯水混合弁に入る湯量をＱ１としたとき、湯張り配管に流れる湯の流量Ｑが、Ｑ＝｛Ｔ１−Ｔ２｝×Ｑ１／｛Ｔ−Ｔ２｝によって算出される。【選択図】      図１
2007024461.tif 000002
【特許請求の範囲】
【請求項１】
熱交換器に接続された給水管及び給湯管と、前記給水管から供給される水及び前記給湯管から供給される湯を混合する湯水混合弁と、当該湯水混合弁で所定温度に調整された湯を浴槽に供給する湯張り配管と、前記給水管及び給湯管内の水温及び湯温をそれぞれ検出する水温サーミスタ及び湯温サーミスタと、湯水混合弁に入る湯量を検出する流量センサとを備え、
前記湯水混合弁の設定温度をＴ、湯水混合弁に入る湯温及び水温をそれぞれＴ１，Ｔ２、湯水混合弁に入る湯量をＱ１としたとき、湯水混合弁から前記湯張り配管に流れる湯の流量Ｑが、
Ｑ＝｛Ｔ１−Ｔ２｝×Ｑ１／｛Ｔ−Ｔ２｝
によって算出されることを特徴とする給湯機。
【発明の詳細な説明】
【技術分野】
【０００１】
本発明は給湯機に係り、更に詳しくは、浴槽への湯張り機能を備えた給湯機に関する。
【背景技術】
【０００２】
従来より、浴槽の水位を検出する圧力センサを用いて浴槽に湯水を所定の設定水位となるまで自動的に湯張りを行い、設定水位に達したときに自動的に給湯を停止するように構成された自動風呂給湯機が存在する（例えば、特許文献１参照）。
【０００３】
【特許文献１】特開２００１−２６３７９４号公報
【発明の開示】
【発明が解決しようとする課題】
【０００４】
しかしながら、特許文献１に記載された給湯機にあっては、給湯機と浴槽とを接続するための配管に潰れや、浴槽の循環口の詰まり等が発生して設定水位の湯張りに誤差が生じても、かかる誤差の原因を容易に特定できない、という不都合がある。
自動湯張りは、給湯機の制御装置に格納されているプログラムに従って実行されており、給湯機の設置現場では、湯張り水位不具合の原因が給湯機の故障なのか、配管の潰れや循環口の詰まりによるものであるか否かを特定することが困難となっている。
そこで、湯水混合弁に接続される湯張り配管に流量センサを設ければ、前述した配管の潰れ等の原因を特定することが可能となるが、自動風呂給湯機は、熱交換器に入る水の流量と、水温に基づいて必要な熱量を算出してバーナー出力を制御するための流量センサを給水管に配置しているので、湯張り配管に流量センサを設けることは付加的なものとなり、コスト的な負担を重くしてしまう、という不都合を招来する。
【０００５】
［発明の目的］
本発明は、このような不都合に着目して案出されたものであり、その目的は、付加的な流量センサを設けることを必要とせずに、配管の潰れや循環口の詰まり等を原因とした湯張り不良が発生しているか否かを自動湯張り量によって把握することができる給湯機を提供することにある。
【課題を解決するための手段】
【０００６】
前記目的を達成するため、本発明は、熱交換器に接続された給水管及び給湯管と、前記給水管から供給される水及び前記給湯管から供給される湯を混合する湯水混合弁と、当該湯水混合弁で所定温度に調整された湯を浴槽に供給する湯張り配管と、前記給水管及び給湯管内の水温及び湯温をそれぞれ検出する水温サーミスタ及び湯温サーミスタと、湯水混合弁に入る湯量を検出する流量センサとを備え、
前記湯水混合弁の設定温度をＴ、湯水混合弁に入る湯温及び水温をそれぞれＴ１，Ｔ２、湯水混合弁に入る湯量をＱ１としたとき、湯水混合弁から前記湯張り配管に流れる湯の流量Ｑが、
Ｑ＝｛Ｔ１−Ｔ２｝×Ｑ１／｛Ｔ−Ｔ２｝
によって算出される、という構成を採っている。
【発明の効果】
【０００７】
本発明によれば、湯張り配管内を流れる湯水の流量を直接検出する流量センサを必要とすることなく、湯張り配管を流れる湯の流量、すなわち、自動湯張り量を算出することができ、この算出した自動湯張り量から配管の潰れや、浴槽の循環口の詰まり等が発生しているか否かを判断することができる給湯機を提供することができる。
【発明を実施するための最良の形態】
【０００８】
以下、本発明の好ましい実施の形態について、図面を参照しながら説明する。
【０００９】
図１には、本実施形態に係る給湯機の概略構成図が示されている。この図において、給湯機１０は、内部に一定量の湯水を収容することができる缶体(熱交換器)１１と、当該缶体１１の下部に設けられたバーナー１２と、缶体１１に接続されて水道水を缶体１１内に供給する給水管１４と、缶体１１内の湯を浴槽１５及びキッチン等の外部設備に給湯する給湯管１６と、缶体１１内に配置された追焚きコイル１７に接続され、外部配管を介して浴槽１５の循環口１８と接続される風呂往き管１９及び風呂戻り管２０と、前記バーナー１２等を所定制御する制御装置２１と、この制御装置２１に対して外部から遠隔操作可能とするリモートコントローラ２２とを備えて構成されている。
【００１０】
前記給水管１４と給湯管１６の各途中には給水分岐管１４Ａと給湯分岐管１６Ａが設けられており、それらの先端は湯水混合弁２５に接続されている。この湯水混合弁２５は、湯張り配管２６、電磁弁２７を介して風呂往き管１９に接続されているとともに、三方弁２８を介して風呂戻り管２０に接続されている。
【００１１】
前記給水管１４には、水温サーミスタ３０と流量センサ３１が配置され、給湯管１６には湯温サーミスタ３２が配置されている。また、風呂戻り管２０には、風呂温度サーミスタ３４、浴槽１５の水位を検出する圧力センサ３５及び循環ポンプ３６が配置されている。
【００１２】
前記制御装置２１は、前述したバーナー１２を所定制御する他、各種の設定値、例えば、湯水混合弁の設定温度（Ｔ）や浴槽の設定水位を記憶し、湯水混合弁に入る湯温（Ｔ１）及び水温（Ｔ２）、湯水混合弁に入る湯量（Ｑ１）を検出し、予め設定された演算式に従って湯張り配管を流れる湯の流量を算出する機能等を備えて構成されている。
【００１３】
次に、本実施形態の湯張り制御について説明する。ここで、湯張りは、風呂往き管１９及び風呂戻り管２０の双方から浴槽１５への湯張りを行うように、湯水混合弁２５，電磁弁２７及び三方弁２８を開放して行う「両側給湯」と、三方弁２８を閉塞して風呂往き管１９のみから浴槽１５への湯張りを行う「片側給湯」を採用することができる。
【００１４】
リモートコントローラ２２の運転スイッチ及び自動スイッチをＯＮ操作し、前述した両側給湯もしくは片側給湯が開始されると、給水管１４を介して水道水が取り入れられるとともに、当該水の温度（Ｔ２）が水温サーミスタ３０で検出される。この一方、缶体１１内に供給される水の流量が流量センサ３１で検出され、これらの各検出値が制御装置２１に与えられる。
缶体１１からは、給湯管１６を介して湯が湯水混合弁２５に流れ、その湯量（Ｑ１）は、缶体１１に供給される水の流量、すなわち流量センサ３１で検出された流量に対応することとなる。
【００１５】
本実施形態では、湯張り配管を介して浴槽１５に供給される湯量は、以下のようにして求めることができる。
湯水混合弁の設定温度すなわち湯張り温度をＴ、湯水混合弁に入る湯温をＴ１、湯水混合弁に入る水温をＴ２、湯水混合弁から湯張り配管に流れる流量をＱ、湯水混合弁に入る湯量をＱ１，湯水混合弁に入る水量をＱ２としたとき、
Ｔ×Ｑ＝Ｔ１×Ｑ１＋Ｔ２×Ｑ２・・・（１）
Ｑ＝Ｑ１＋Ｑ２・・・（２）
式（１）、（２）より、流量Ｑは、
Ｑ＝｛Ｔ１−Ｔ２｝×Ｑ１／｛Ｔ−Ｔ２｝
によって算出することができる。
【００１６】
従って、本実施形態によれば、予め特定しておくことのできる湯張り温度Ｔ、湯水混合弁に入る湯温Ｔ１、湯水混合弁に入る水温Ｔ２、湯水混合弁に入る湯量Ｑ１を制御装置の演算プログラムに与えるだけで流量Ｑを求めることができるようになる。これにより、湯張り水位の不具合原因が給湯機の故障なのか、配管の潰れや浴槽の循環口の詰まり等の給湯機外の要因かを容易に判断することができる。
【００１７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【図面の簡単な説明】
【００１８】
【図１】本実施形態に係る給湯機の概略構成図。
【符号の説明】
【００１９】
１０…給湯機、１１…缶体、１２…バーナー、１４…給水管、１５…浴槽、１６…給湯管、１８…循環口、２６…湯張り配管  ３１  流量センサ
【図１】
2007024461.tif 000003